【事件の表示】
　特許第２９９１４３３号「印字装置」の請求項１に係る特許に対する特許異議の申立てについて、次のとおり決定する。
【結　論】
　訂正を認める。
　特許第２９９１４３３号の請求項１に係る特許を維持する。
【理　由】
［１］手続きの経緯
　本件特許第２９９１４３３号発明は、昭和６３年９月１９日に特許出願され、平成１１年１０月１５日にその特許の設定登録がなされ、その後、藤掛栄蔵より請求項１に係る発明について特許異議の申立てがなされ、取消理由通知がなされ、その指定期間内である平成１２年１２月２５日に訂正請求がなされたものである。
　
［２］訂正の適否についての判断
１．訂正の要旨
（１）訂正事項ａ
　本件特許明細書の特許請求の範囲の請求項１を次に訂正する。
「【請求項１】像担持体に対向し、末尾に余白データが付加された印字データに則って印字を行う該像担持体の主走査方向に平行に配列された印字素子と、該印字素子を駆動する駆動手段と、現像手段と、転写手段とを有する印字装置において、
　該印字装置内を搬送中の用紙の側端位置を検出する検出手段と、操作部に設けられ操作者により前記用紙に対する印字位置補正データを入力する入力手段と、前記検出手段の出力と前記入力手段の補正データとを演算し、該演算された値を前記余白データに加算または減算して前記印字データの末尾に付加することにより前記用紙の主走査方向における余白を調整する演算手段とを設け、前記駆動手段は前記演算手段の演算結果に基づき前記印字素子を駆動することを特徴とする印字装置。」
（２）訂正事項ｂ
　本件特許明細書の発明の詳細な説明の［発明の要点］の項を次に訂正する。
「本発明は上記目的を達成するために、像担持体に対向し、末尾に余白データが付加された印字データに則って印字を行う該像担持体の主走査方向に平行に配列された印字素子と、該印字素子を駆動する駆動手段と、現像手段と、転写手段とを有する印字装置において、該印字装置内を搬送中の用紙の側端位置を検出する検出手段と、操作部に設けられ操作者により前記用紙に対する印字位置補正データを入力する入力手段と、前記検出手段の出力と前記入力手段の補正データとを演算し、該演算された値を前記余白データに加算または減算して前記印字データの末尾に付加することにより前記用紙の主走査方向における余白を調整する演算手段とを設け、前記駆動手段は前記演算手段の演算結果に基づき前記印字素子を駆動することを特徴とする。」
２．訂正の目的、新規事項の有無、拡張変更の存否の各要件についての判断
（１）訂正事項ａ
　本訂正は、本件特許明細書の記載（特に、出願時明細書１０頁１７行〜１１頁１行（特許掲載公報３頁５欄４６〜４９行）及び同１４頁７行〜１６頁２行（同公報４頁７欄５〜３６行）参照）に基づいて、印刷データの末尾に余白データが付加されていること、及び用紙の主走査方向における余白の調整が演算された値を前記余白データに加算または減算して前記印字データの末尾に付加することによりなされることを限定するものであり、特許請求の範囲の減縮を目的とし、願書に添付した明細書又は図面に記載した事項の範囲内の訂正であって、実質上特許請求の範囲を拡張し又は変更するものでもない。
（２）訂正事項ｂ
　本訂正は、訂正事項ａに伴う訂正であり、上記各要件を適法に満たすものである。
３．訂正の適否のまとめ
　以上のとおりであるから、上記訂正は、特許法等の一部を改正する法律（平成６年法律第１１６号。以下「平成６年改正法」という）附則第６条第１項の規定によりなお従前の例によるとされる、特許法第１２０条の４第３項において準用する平成６年改正法による改正前の特許法第１２６条第１項ただし書及び第２項の規定に適合するので、当該訂正を認める（なお、特許異議申立がされていない請求項についての訂正はないので、独立特許要件の判断はしない）。
　
［３］異議申立てについての判断
１．本件請求項１に係る発明
　本件請求項１に係る発明は、訂正明細書及び図面の記載からみて、訂正明細書の特許請求の範囲の請求項１に記載されたとおりのものである（上記訂正事項ａ参照。以下、「本件発明」という）。
２．異議申立ての理由と証拠
　これに対し、異議申立人は甲第１乃至２号証及び参考資料１乃至２を提出し、本件発明は、当業者が容易に発明をすることができたものであるから、特許法第２９条第２項の規定により特許を受けることができない旨主張している（当審が通知した取消理由はこの主張を採用したものである）。
　甲第１乃至２号証及び参考資料１乃至２とそれらの記載事項は次のとおりである。
（１）甲第１号証：特開昭６３−５７２７４号公報
　ａ．「本発明は用紙を装着させてパターン印字させる印字装置に関し、特に斯かる用紙の装着位置に合せて印字領域を可変に方式に関する。」（１頁左下欄１６〜１８行）
　ｂ．「用紙位置検出部１は上位装置からの指示により、印字装置の印字領域に装着された用紙位置を光学的に求める。」（２頁右上欄３〜５行）
　ｃ．「上位装置から与えられる用紙上の印字開始位置」（２頁右上欄１０〜１１行）
　ｄ．「上位位置からパラメータによって指定される、用紙左端から用紙上の印字開始位置までの距離をｂとする。用紙上の第１の印字位置は、任意に設定できるものとする。」（２頁左下欄４〜７行）
　ｅ．「格納制御部５では、与えられた印字領域イメージ１０上の用紙左端におけるアドレスａを、印字情報蓄積部４上での用紙左端におけるアドレスａ’に変換する。印字領域イメージ１０のアドレスと、印字情報蓄積部４のアドレスの相関係数をαとすると、印字情報蓄積部４上での用紙左端におけるアドレスａ’はａ’＝αａで求められる。また、印字時に上位装置より与えられる用紙上の印字開始位置は印字情報蓄積部４上の距離ｂで与えられる。そこで、格納開始アドレスＳはＳ＝ａ’＋ｂ＝αａ＋ｂとなる。格納開始アドレスＳにもとずき、格納制御部５では印字パターン変換部３から与えられる印字パターンを、格納開始アドレスＳから順次格納する。このように、格納開始アドレスＳは装着する用紙の位置ａによって移動し、上記動作によって印字可能領域を可変にすることができる。」（２頁左下欄２０行〜右下欄２０行）
等が記載されている。
（２）甲第２号証：特開昭６３−４８５７１号公報
　ａ．「２３は、感光ドラム２１の幅方向（主走査方向）に複数の発光素子が配列されて所定のドットが発光し、感光ドラム２１上に前記ドットに対応する潜像を記録するためのＬＥＤヘッド、２４は、黒、シアン、マゼン夕、イエローの４色のトナーをそれぞれ独立して感光ドラム２１上に供給して対応する色の潜像を現像するための現像器２４ａ、２４ｂ、２４ｃ、２４ｄを有し、またトナーの受け皿を兼用する現像部、２５は、現像部２４の現像器２４ａ、２４ｂ、２４ｃ、２４ｄによりそれぞれの色で可視像化された画像を記録紙３３に重畳して転写する転写ローラ、」（３頁右上欄１８行〜左下欄９行）
　ｂ．「３２は、記録紙３３の搬送方向と垂直方向（主走査方向）の蛇行を検出するための光学センサである。」（３頁右下欄２〜４行）
　ｃ．「更にマーク３３ｂは形成しないで記録紙３３の左端又は右端を検出して蛇行を検出してもよい。」（４頁左上欄１９行〜右上欄１行）
　ｄ．「第６図は、記録紙３３上のマーク３３ｂの主走査方向の位置ずれを検出し、この位置ずれに応じてＬＥＤヘッド２３の記録開始発光素子を示す信号を生成するラインマーク制御機構の概略構成図、・・・（中略）・・・制御回路５３は、このラインイメージセンサ３２の各受光素子からの信号に応じて記録紙３３の蛇行による主走査方向の位置ずれを検出し、この位置ずれに応じてＬＥＤヘッド２３の記録開始発光素子を決定する。・・・（中略）・・・信号Ｅは、記録紙３３が右側にずれてラインイメージセンサ３２の第ｎ’の受光素子がマーク３３ｂの左端を検出した場合を示し、この場合に制御回路５３は、ＬＥＤヘッド２３に対し画像記録を開始する発光素子（ｎ’−ｎ）個に対応する距離だけずらすように制御する。したがって、感光ドラム２１には主走査方向に（ｎ’−ｎ）個分の距離だけ移動して潜像が形成され、記録紙３３が蛇行しても画像はマーク３３ｂから常に等距離の場所から記録開始される。」（６頁左上欄１１行〜左下欄第１２行）
等が記載されている。
（３）参考資料１：特開昭５１−７１０２７号公報
　ａ．「用紙に所望の寸法のマージン（紙の縁の余白部分）を提供するよう該用紙に関し印刷行を水平方向にシフトする為の装置に関する。」（１頁右下欄３〜６行）
　ｂ．「左マージンの寸法が可変であるようなある種の装置では、寸法のそのような変動が制限されたり、またマージンの寸法を揃えるのに使用される手段についても比較的不便であり且つ面倒であった。」（２頁左上欄５〜９行）
　ｃ．「レーザ・ビームの各回の走査を開始するときに始められる上記第１の計数によって計数器を漸減する事によって、バッファ内に記憶された図形コード・バイトの行により表わされる文字の印刷が開始される前に、印刷可能媒体の左端付近の一定の引込距離と調節可能な水平距離とをレーザ・ビームが横切ることが可能になる。この一定の引込距離は一定の計数値によって表わされ、この値は第１計数を与えるようパネルに装着された回転式スイッチによって与えられる水平方向の可変計数値に加算される。」（２頁左下欄５〜１５行）
　ｄ．「プリンタの操作者用パネル上にある複数の水平方向スイッチ１９０が制御論理部１８８に、キャリア帯１８２の右端と所望の開始印刷位置１８６との間のラスター・ビットの数を表わす２進値を与える。水平方向スイッチ１９０は夫々回転式の３つのスイッチ、すなわち粗、中、精の各スイッチ１９２、１９４及び１９６を含む。制御論理装置１８８は水平方向スイッチ１９０からの値に一定引込値１８４を加算し、その結果を水平方向レジスタ１９８に記憶させる。この値は更にゲート２０２を介して与えられるときビット計数器２００の為の第１計数値を表わす。」（８頁右下欄４〜１５行）
等が記載されている。
（４）参考資料２：特開昭６３−１０７５７９号公報
　ａ．「本発明は文書の印刷に関し、特に印刷レイアウト表示における上余白・左余白の設定装置に関する。」（１頁右欄７〜９行）
　ｂ．「４はレイアウト変更部であって、初期値が格納されている表示制御部２の余白パラメータ格納部の２１の値をカーソル移動キー（図示せず）に従って変更を行なう。」（２頁右上欄１１〜１４行）
　ｃ．「表示制御部２１は格納されたパラメータに従って用紙枠（第４図の３０１）、文字枠（第４図３０２）、および上余白パラメータ、左余白パラメータ（第４図３０３）を表示部３へ表示する。次にレイアウト変更部４は、カーソル移動キー押下状態を見て（第３図２０１〜２０４）パラメータの変更を行なう。例えば、上方向キーが押下された場合（２０１）に、上余白パラメータの値を１行マイナスし（２０６）、これにより文字枠３０２を上に１行分ずらす。同様に下方向キー、左方向キー、右方向キーの押下があれば（２０２〜２０４）、文字枠３０２をキーの方向にずらす（２０８〜２１３）。このようにして余白の設定が行なわれて確認により完了（２０５）すれば、レイラウト変更部４の指示により印刷制御部５は、パラメータを取り込み、印刷データ（図示せず）とともに印刷情報を印刷装置へ出力する。」（２頁左下欄１１行〜右下欄８行）
等が記載されている。
３．対比・判断
　本件発明と甲第１乃至２号証及び参考資料１乃至２に記載された発明とを対比する。
　本件発明は、印刷データの末尾に余白データを付加し、検出手段の出力と入力手段の補正データとから演算された値を前記余白データに加算または減算して前記印字データの末尾に付加することにより用紙の主走査方向における余白を調整するようにした点に特徴が認められるが、甲第１乃至２号証及び参考資料１乃至２のいずれにもこの点については記載も示唆もない。
　甲第１乃至２号証及び参考資料１乃至２の記載からみて、検出手段の出力と入力手段の補正データとから演算された値により用紙の主走査方向における余白を調整することは容易に想到されると認められるが、印刷データの末尾に付加された余白データの一括補正によって該調整を行うこと、かつ、そのための演算内容とすることまでは容易に想到することができないものと認められる。
　そして、本件発明は、特に上記の点により、印刷データの末尾に付加された余白データの一括補正という極めて簡単な処理で用紙の主走査方向における余白を調整できるという、甲第１乃至２号証及び参考資料１乃至２の記載から予測し得ない作用効果を奏することから、甲第１乃至２号証及び参考資料１乃至２記載の発明に基づいて当業者が容易に発明をすることができたものとは認められない。
　
［４］むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１３年１月２２日（２００１．１．２２）
【訂正の要旨】
　　　訂正の要旨
（１）訂正事項ａ
　本件特許明細書の特許請求の範囲の請求項１を次に訂正する。
「【請求項１】像担持体に対向し、末尾に余白データが付加された印字データに則って印字を行う該像担持体の主走査方向に平行に配列された印字素子と、該印字素子を駆動する駆動手段と、現像手段と、転写手段とを有する印字装置において、
　該印字装置内を搬送中の用紙の側端位置を検出する検出手段と、操作部に設けられ操作者により前記用紙に対する印字位置補正データを入力する入力手段と、前記検出手段の出力と前記入力手段の補正データとを演算し、該演算された値を前記余白データに加算または減算して前記印字データの末尾に付加することにより前記用紙の主走査方向における余白を調整する演算手段とを設け、前記駆動手段は前記演算手段の演算結果に基づき前記印字素子を駆動することを特徴とする印字装置。」
（２）訂正事項ｂ
　本件特許明細書の発明の詳細な説明の［発明の要点］の項を次に訂正する。
「本発明は上記目的を達成するために、像担持体に対向し、末尾に余白データが付加された印字データに則って印字を行う該像担持体の主走査方向に平行に配列された印字素子と、該印字素子を駆動する駆動手段と、現像手段と、転写手段とを有する印字装置において、該印字装置内を搬送中の用紙の側端位置を検出する検出手段と、操作部に設けられ操作者により前記用紙に対する印字位置補正データを入力する入力手段と、前記検出手段の出力と前記入力手段の補正データとを演算し、該演算された値を前記余白データに加算または減算して前記印字データの末尾に付加することにより前記用紙の主走査方向における余白を調整する演算手段とを設け、前記駆動手段は前記演算手段の演算結果に基づき前記印字素子を駆動することを特徴とする。」
（５４）【発明の名称】
　印字装置
（５７）【特許請求の範囲】
　【請求項１】像担持体に対向し
、末尾に余白データが付加された
　該印字装置内を搬送中の用紙の側端位置を検出する検出手段と、操作部に設けられ操作者により前記用紙に対する印字位置補正データを入力する入力手段と、前記検出手段の出力と前記入力手段の補正データとを演算
し、該演算された値を前記余白データに加算または減算して前記印字データの末尾に付加
【発明の詳細な説明】
〔発明の技術分野〕
　本発明は、液晶プリンタ、ＬＥＤプリンタ、マルチスタイラスプリンタ等の印字装置に関する。
〔従来の技術〕
　液晶プリンタ、ＬＥＤプリンタ、マルチスタイラスプリンタ等の印字装置では、画像を用紙の所定領域に正確に印字することが要求されている。用紙の所定領域へ画像を正確に印字する為には用紙の給送方向（以下縦方向で示す）、及び用紙の給送方向に直交する方向（以下横方向で示す）の印字位置が共に用紙に対して正確な位置に制御されなければならない。
　従来、縦方向に対する用紙への印字位置制御は、例えば感光体（像担持体）へ露光を行う印字ヘッドや用紙の搬送を行う用紙搬送機構、用紙へ画像を転写する転写器等の設置位置精度を正確に保つと共に、工場出荷時露光により形成される感光体上の前画像と用紙位置とを一致させる為の用紙の給送タイミングの微調整を行っている。
　また、横方向に対する用紙への印字位置制御は、搬送される用紙の側端位置を調整することにより行っている。例えば工場出荷時、用紙を収容する用紙カセットの装着位置を横方向にずらし、対応する位置に用紙カセットのガイドレールを設けている。
〔従来技術の問題点〕
　しかしながら、上述のような従来の印字位置制御では、
イ）印字ヘッド、用紙搬送機構等の各部材の配設精度が要求され、部品公差が厳しくなり印字装置全体のコストアップの原因となっている。
ロ）また、給送タイミングの微調整及びガイドレールの位置設定は、工場出荷時テスト印字を何回も繰り返さなければならず調整作業に時間がかかる。
ハ）さらに、搬送される用紙毎に生じる搬送位置のずれは上述の様な各印字装置に対する調整では対応できない。
〔発明の目的〕
　本発明は上述の欠点に鑑み、搬送される用紙毎の印字位置制御を可能にすると共に、印字位置調整が簡単に行え装置をコストアップすることのない印字装置を提供することを目的とする。
〔発明の要点〕
　本発明は上記目的を達成するために、像担持体に対向し
、末尾に余白データが付加された
し、該演算された値を前記余白データに加算または減算して前記印字データの末尾に付加
〔実施例〕
　以下、本発明の実施例を添付図面に従って詳述する。
　第２図は一実施例の印字装置の全体構成図である。同図において、印字装置は用紙にトナー像を形成する画像形成部１と、用紙を用紙カセット２から搬送し印字装置内を搬送する搬送機構３で構成されている。
　画像形成部１は感光体ドラム４と、感光体ドラム４の周面近傍に順次配設された帯電器５、印字ヘッド６、現像器７、転写器８、クリーナ９で構成されている。
　帯電器５は矢印Ａ方向に回動ずる感光体ドラム４の感光面に初期帯電電圧を付与するものであり、印字ヘッド６は後述する印字データに基づく露光を感光面に行う装置である。現像器７は上述の露光により感光面に形成された静電潜像をトナー像化し、転写器１０はこのトナー像を矢印Ｂ方向に搬送される用紙Ｐに転写する装置である。
　また、印字ヘッド６は光源６ａ、液晶シャッタパネル６ｂ、結像レンズアレイ６ｃで構成され、後述する制御回路より出力される印字データに従って液晶シャッタパネル６ｂ内に形成されたマイクロシャッタを開閉駆動し、開状態のマイクロシャッタを介して光源６ａの光を結像レンズ６ｃにより感光面に結像（露光）する構成である。
　一方、搬送機構３は給紙コロ１０の回転により用紙カセット２から搬出された用紙Ｐの搬送方向をガイドする為のガイド板１１ａ〜１１ｄと、スリップロール１２、待機ロール１３、定着ロール１４の各ロールと、待機スイッチ１５、エッジセンサ２２で構成されている。スリップロール１２は弱い搬送力で用紙Ｐを待機ロール１３へ搬送するロールである。待機ロール１３は用紙の先端を当接させることにより用紙Ｐの搬送を一時停止させ、後述する所定のタイミングで回転を行い、用紙Ｐを感光体ドラム４と転写器８間に搬送するロールである。定着ロール１４は転写器８で用紙Ｐ上に転写された未定着トナーを用紙Ｐに定着すると共に図示しない用紙排出部へ用紙Ｐを搬送するロールである。
　待機スイッチ１５はそのアクチュエータ１５ａを用紙先端に当接され、用紙の先端検知を行うスイッチである。
　また、露光位置ａから転写位置ｂまでの感光体ドラム４の周面距離Ｌ１と、上記転写位置ｂと待機ロール１３の圧接位置ｃまでの距離Ｌ２の関係は印字ヘッド６を露光の開始時から待機ロール１３の回転開始時までの時間ｔ２に影響を与え、感光体ドラム４の回転速度及び用紙Ｐの搬送速度をＶｐとすれば、
の関係にある。
　次にエッジセンサ２２の詳しい構成を第３図、第４図を用いて説明する。
　第３図はエッジセンサ２２の構成図であり、第４図は第３図の模式的断面図である。両図において、エッジセンサ２２は複数で構成されるＬＥＤ１６、ＬＥＤドライバ１７等が配設されたプリンタ基板（以下ＰＣＢで示す）１８と、ＬＥＤ１６の出射光が入射する結像レンズアレイ１９と、用紙で反射した光を入射する光伝送ロッド２０と、光伝送ロッド２０からの出射光を検知するフォトトランジスタ２１で構成されている。ＰＣＢ１８に配設されたＬＥＤ１６は１６個のＬＥＤ１６ａ〜１６ｐで構成され、用紙Ｐの搬送方向（矢印Ｂ方向）に対して直交する方向に一列に配設されている。このＬＥＤ１６ａ〜１６ｐはＰＣＢ１８にボンディングされ後述する制御回路からの制御信号により順次点灯する。また、結像レンズアレイ１９により光が照射されるガイド板１１ｂの位置は例えば黒色塗装がなされ用紙がない部分は光を反射しない構成である。
　光伝送ロッド２０はその内周面が光を全反射する円筒状のロッドで構成され、上述のＬＥＤ１６ａ〜１６ｐの配設方向に対して平行に配設されている。また、光伝送ロッド２０の一端内面には光を反射するミラー２０ｂが配設され、他端は前述のフォトトランジスタ２１に対面している。また、結像レンズアレイ１９を介して照射された光の反射光が入射する光伝送ロッド２０の対向周面には拡散縞２０ａが形成され、光伝送ロッド２０へ入射した用紙Ｐからの反射光を光伝送ロッド２０内へ散乱し、散乱光を光伝送ロッド２０に沿ってフォトトランジスタ２１へ導く構成である。
　以上の構成の印字装置内には図示しない基板上に第１図に示すブロック構成の制御回路が設けられている。但し、同図に示すホストコンピュータ２３は印字装置へ印字データを出力する外部機器である。印字装置内の回路はメインコントローラ２４、上述のエッジセンサ２２、前述の待機ロール１３を回転させる為の待機クラッチ１３ａ、余白データ記憶部２５、操作部２６、印字制御部２７で構成されている。
　メインコントローラ２４は図示しないＲＯＭ（リード・オンリ・メモリ）を内蔵し、このＲＯＭに記憶されたプログラムに従って印字装置全体の制御を行う。また、メインコントローラ２４はホストコンピュータ２３から出力される印字データ（データ１）を詳しくは後述るようにエッジセンサ２２及び操作部２６からのデータによって出力制御し、所定のデータ量の印字データ（データ２）を印字制御部２７へ出力する制御も行う。余白データ記憶部２５は用紙Ｐが標準位置を搬送される時の右消去用データのデータ量を標準余白データとして記憶する回路である。
　操作部２６は２桁構成の７セグメント表示部２８と印字位置設定キー２９ａ〜２９ｄで構成され、印字位置設定キー２９ａ〜２９ｄを押下すると対応するキー操作信号がメインコントローラ２４へ出力される。
　印字制御部２７はｘビット構成のシフトレジスタ３０、データラッチ３１、データセレクタ３２、ドライバ３３、上述の液晶シャッタパネル６ｂで構成され、シフトレジスタ３０にはシリアル形式でメインコントローラ２４から印字データ（データ２）が供給される。シフトレジスタ３０に書込まれる印字データの構成を第５図に示す。同図に示す如く矢印Ｃで示す方向（主走査方向）に例えば１個の左消去用データ、ｎ個の実データ、ｍ個の右消去用データが書込まれる。しかし、このデータの中で１ライン毎に上述のメインコントローラ２４から実際にシフトレジスタ３０に供給される印字データは斜線で示す実データと右消去用データである。左消去用データはメインコントローラ２４から出力される１ライン前の印字データの右消去用データが使用される。即ち、第６図に示す如く、矢印Ｃで示す方向に印字データの末尾に右消去用データとして白ドットデータを付加したシリアルデータを次の１ラインの印字データを入力する時順次Ｃ方向にシフトすると、左消去用データの白ドットデータを特に入力することなく、矢印ｄで示す如く１ライン前の右消去用の白ドットデータを左消去用データとして使用できる。尚、このように左消去用データを１ライン前に右消去用データで対応させる為には、左消去用データ数が右消去用データ数よりも少ないことが前提であり、本実施例ではメインコントローラ２４によりこの制御が行われる。
　シフトレジスタ３０に書込まれた印字データは１ライン毎にデータラッチ３１を介してデータセレクタ３２へ出力される。データセレクタ３２は印字データが白データ（例えばデータ“０”）であれば、マイクロシャッタを閉駆動する為の閉信号をドライバ３３を介して液晶シャッタパネル６ｂへ出力し、印字データが黒データ（例えば“１”）であればマイクロシャッタを開駆動するための開信号をドライバ３３を介して液晶シャッタパネル６ｂへ出力する。液晶シャッタパネル６ｂ内の各マイクロシャッタは上述の開信号または閉信号とバッファ３４を介して図示しない共通電極へ印加されるコモン信号により開または閉状態に設定され、前述の如く光源６ａの光を透過または遮断する。
　以上の構成の印字装置は第７図に示すタイミングで印字処理を実行する。即ち先ず、ホストコンピュータよりスタート信号（ロー信号）がメインコントローラ２４へ出力されると、給紙クラッチがオンし、給紙コロ１０を１回転させて用紙Ｐを用紙カセット２から搬出する。その後用紙Ｐが搬送され、用紙Ｐが待機スイッチ１５をオンすると、待機スイッチ１５がオンしてから、ｔ１時間後にメインコントローラ２４からホストコンピュータ２３へ垂直同期信号（▲ＶＳＹＮＣ▼）が出力され、その後所定時間後に水平同期信号（▲ＨＳＹＮＣ▼）が出力される。ホストコンピュータ２３は水平同期信号が入力してから所定時間後バリッド信号（▲ＶＡＬＩＤ▼）と共に印字データ（データ１）をメインコントローラ２４へ出力する。
　メインコントローラ２４ではその後以下に示す印字位置制御を行う。このメインコントローラ２４での印字位置制御処理を示す図が第８図のフローチャートである。すなわち、メインコントローラ２４は操作部２６の印字位置設定キー２９ａ〜２９ｄが押下され対応するキー操作信号が入力しないか判断する。先ず印字位置設定キー（上移動キー）２９ａが押下されたかキー操作信号により判断する（ステップ（以下Ｓで示す）１）。ここで上移動キー２９ａは用紙に対する印字位置を上方に移動させるためのキーである。このキーが押下されていたときは（Ｓ１がＹ）、用紙の再給送タイミングを遅くすれば用紙に対する転写位置が変わるので前述の時間ｔ２が設定されたメインコントローラ２４内のＴ２タイマのタイムアップ時間ｔ２を加算すればよい（Ｓ２）。次に印字位置設定キー（下移動キー）２９ｃが押下されたか同様に対応するキー操作信号により判断し（Ｓ３）、このキーが押下されていれば（Ｓ３がＹ）、上述の時間ｔ２を減算する（Ｓ４）。即ち時間ｔ２は前述の如く印字ヘッド６から露光が行われた後用紙Ｐの搬送を開始するまで時間である。従って上述のように制御することにより、待機ロール１３からの用紙Ｐの搬送開始時期を前述の標準時間であるｔ２に対して遅らせ、または早めることができ用紙Ｐに対する縦方向の用紙印字位置を制御できる。
　次にメインコントローラ２４は印字位置移動キー（右移動キー）２９ｂが押下されたか判断し（Ｓ５）、このキーが押下されていれば（Ｓ５がＹ）、前述の右消去用データ（右余白データ）の出力個数を減算する（Ｓ６）。即ち余白データ記憶部２５に記憶されている標準右消去用データの出力個数を減らし、印字データがシフトレジスタ３０へ出力される時の右側の余白データ量を減らす。このことにより、１ライン前の右消去用データによって作成される左消去用データの量は逆に増加し、全体として実データは右方向にずれる。
　次に印字位置移動キー（左移動キー）２９ｄが押下されたか同様に判断し（Ｓ７）、このキーが押下されていれば（Ｓ７がＹ）、右消去データ（右余白データ）の出力個数を加算する（Ｓ８）。この場合には逆に右消去用データ量は増加すると共に左消去用データ量は減り、実データが左方向にずれる。このように処理することによりシフトレジスタ３０へ出力される実データを右または左方向にずらすことができる。
　さらに、メインコントローラ２４はエッジセンサ２２から用紙Ｐの用紙側端位置のずれ量のデータを入力する。即ちメインコントローラ２４からエッジセンサ２２内のＬＥＤ１６ａ〜１６ｐへ順次点灯信号を出力することにより、ＬＥＤ１６ａ〜１６ｐのいずれかの照射光が用紙Ｐの存在する位置（用紙Ｐの側端）で反射光としてフォトセンサ２１に検出されその位置データが用紙側端位置データとしてメインコントローラ２４へ出力されることから用紙Ｐのずれ量が検出できる。そして用紙側端位置データが右にずれている時には（Ｓ９がＹ）、印字位置も右にずらさなければならないから上述の右消去用データ（右余白データ）を減算し（Ｓ１０）、用紙側端位置データが左にずれている時には（Ｓ１１がＹ）、右消去用データ（右余白データ）を加算する（Ｓ１２）。
　以上のように処理した後メインコントローラ２４は実データの後に上述の如く演算した結果得られた右消去用データ（右余白データ）を付加した印字データをシフトレジスタ３０へ出力する（Ｓ１３）。このシフトレジスタ３０へ出力された印字データに基づき前述の如くマイクロシャッタは開または閉状態に駆動され、感光面へ露光を行う。この時感光面への露光位置は印字位置設定キー２９ｂ、２９ｄにより調整された印字位置であり、さらに用紙Ｐの搬送ずれ量を補正した位置に行われており、従って用紙Ｐ上に転写されたトナー像の横方向の印字位置は正確な位置に行われる。
　また、メインコントローラ２４はバリット信号のローレベルを確認した後（Ｓ１４）、上述の処理（Ｓ１〜Ｓ４）により正しく調整されたタイマ時間ｔ２´でＴ２タイマをタイムアップし待機クラッチをオンする為（Ｓ１５〜Ｓ１７）、用紙Ｐの縦方向の印字位置も正しい位置に行われる。
　例えば第９図（ａ），（ｂ）は上述の印字位置制御を具体的に説明する図である。同図（ａ）は上側の余白ｌ１、左側の余白ｌ２、画像の印字領域（Ｄ×Ｅ）の用紙Ｐにおいてアルファベット文字「Ａ」がフォーマット用紙の枠からずれて印字された場合を示し、この場合の同図（ｂ）の正しい位置に文字「Ａ」を印字する為には上述の印字位置設定キー２９ｃを押下して上述の時間ｔ２を減算し待機ロール１３の回転開始時間を早くし、且つ印字位置設定キー２９ｂを押下して例えば標準の右消去用データｍを減算（ｍ−α）すれば、同図（ｂ）に示す如く上側の余白がｌ１´と広くなり、左側の余白はｌ２´（ｍ＋α）と広くなり文字「Ａ」を用紙Ｐの正確な位置に印字できる。
　また、本実施例では印字装置内を搬送される用紙Ｐの個々の搬送による横方向のずれをエッジセンサ２２により補正するようにしたが、さらに用紙Ｐの個々の搬送による縦方向のずれ量を補正する為、同様な構成のエッジセンサを縦方向に平行に配設して構成しても良い。
　さらに、エッジセンサ２２内のＬＥＤ１６の数は１６個に限られないことは勿論である。
〔発明の効果〕
　以上詳細に説明した様に本発明によれば、用紙の縦方向、横方向の調整を印字位置設定キーを操作するだけで簡単に調整できる。
　また、用紙が搬送される毎に生じる用紙位置のずれもエッジセンサにより自動的に補正され各部材の配設位置の精度をそれ程考慮することなく用紙の正確な位置に印字を行うことができる。
【図面の簡単な説明】
　第１図は一実施例の印字装置の制御回路ブロック図、
　第２図は一実施例の印字装置の全体構成図、
　第３図はエッジセンサの構成図、
　第４図は第３図の模式的断面図、
　第５図はシフトレジスタに書込まれる印字データの構成図、
　第６図は左消去用データの作成を説明する図、
　第７図は本実施例の印字装置の動作を説明するタイムチャート、
　第８図は本実施例の印字装置の動作を説明するフローチャート、
　第９図（ａ），（ｂ）は本実施例の印字装置の動作を説明する図である。
　　１……画像形成部、
　　３……搬送機構、
　　６……印字ヘッド、
　　１３……待機ロール、
　　１５……待機スイッチ、
　　２２……エッジセンサ、
　　２３……ホストコンピュータ、
　　２４……メインコントローラ、
　　２５……余白データ記憶部、
　　２６……操作部、
　　２７……印字制御部、
　　２９ａ〜２９ｄ……印字位置設定キー